(57)【要約】【課題】  アパートやマンションの、住戸玄関の扉を吊っている丁番のほとんどが旗丁番である。この旗丁番にはと扉に無理な力が掛かると丁番の軸芯が狂い易い問題がある。丁番の軸芯が振れると扉の開閉が重くなり、扉が枠に当れば扉の開閉ができなくなる。この旗丁番の軸芯の振れや曲がりを防止して、扉の開閉がし易い旗丁番を作ることが課題である。【解決手段】  旗丁番の軸の振れや曲がりを防止する為に、丁番の軸受けである管を３個とし、各々の管に旗を持つ丁番とする事で、中央の旗や管に掛かる力を上下の旗と管で平等に受け止め、丁番軸の振れを防止し、丁番軸の曲がりを防止する３管旗丁番を実現した。【選択図】図１
2006233590.tif 000002
【特許請求の範囲】
【請求項１】
下旗（５）の下管（６）と、上旗（３）の上管（４）と、補強旗（１）の補強管（２）の３旗３管を有し、３管を貫通する丁番軸（８）を有し、上旗を扉に取り付け、上旗の上の補強旗と下の下旗を枠に取り付けて扉を吊る３旗３管を有する旗丁番において、扉に無理な力が掛かり扉に取り付けた上旗にその力が掛かっても、３管を貫通した丁番軸によって下管と補強管が上管に掛かる力を平等に受け止め、丁番軸の振れや曲がりを防止することを特徴とする３管旗丁番。
【発明の詳細な説明】
【技術分野】
【０００１】
扉を吊る丁番のうち、旗丁番の技術に関する。
【背景技術】
【０００２】
丁番には多くの種類が存在するが、そのうち、旗丁番の種類は少ない。従来の旗丁番のうち典型的なものは、図５に示すように、上旗（２３）と下旗（２５）から成り、下旗の下管（２６）に丁番軸（３８）を固定して取り付け、その丁番軸を上旗の上管（２４）に通したものである。
【０００３】
下旗を枠に取り付け、上旗を扉に取り付け、扉を開けた状態で丁番軸を上旗の上管に差し込み、又は抜く事で枠に対して扉の脱着を行う。
扉を閉じた状態では扉の脱着はできない。
上旗と下旗の上下を逆に取り付けることも可能である。その場合は下旗を扉に取り付け、上旗を枠に取り付け、下旗の軸を上旗の上管に対して下に向けて差し込んで扉を吊る。
【０００４】
旗丁番は、取り付け方法によって、取り付けネジ穴の無いものがある。
扉と枠にネジ止めするタイプのものには取り付けネジ穴があり、溶接して取り付けるタイプのものには取り付けネジ穴は無い。
【０００５】
このように、取り付け方法の相違に起因して形状に若干の相違が生ずるものの、従来型旗丁番は、図５に示すように、枠に取り付ける下旗の下管と扉に取り付ける上旗の上管の、２枚の旗と２つの管から成る。
【０００６】
旗丁番ではないが、従来の儀星丁番にも３管丁番がある。３管儀星丁番は２管を持つ１枚の旗と１管を持つ１枚の旗の、２枚の旗を組み合わせたものである。
５管丁番は３管を持つ１枚の旗と２管をもつ１枚の旗の、２枚の旗を組み合わせたものである。
３管を持つ３枚の旗を組み合わせたものは無い。
【０００７】
旗丁番の特徴として、以下のものが挙げられる。
旗丁番は旗を扉と枠に取り付けた状態のままで枠に対して扉の脱着ができる。
扉を開けて持ち上げれば扉が枠から外れ、扉を閉じた状態では外れないため、扉を施錠した状態で扉を外す事ができず、防犯性も確保できる。
丁番の取り付けは扉が重くなるほど難しくなるが、扉を外した状態で扉と枠に各々の旗を取り付け、扉の吊り込みにあたり軸を合わせて差し込むだけの旗丁番は取り付け作業が容易である性が良くて好まれる。
旗丁番が需要者に好まれる理由は、旗丁番の上記特徴によるものである。
【０００８】
なお、旗と管を持つ他の丁番に自由丁番があるが、これは３枚の旗に２軸を持ち、構造も使い方も違うものである。隠し丁番も構造が違い、２枚の旗に２〜３軸を持つものである。
【特許文献１】特開昭５９−１２２６７９
【発明の開示】
【発明が解決しようとする課題】
【０００９】
従来の旗丁番の問題点を図６、７、８、９に基いて説明する。
図６は扉を９０度開いた状態の上丁番部分を、戸先側枠方向から見た図である。
この状態で扉の戸先に子供や大人がぶら下がった時に、発生する丁番の変形を示す図である。
扉（２２）に取り付けた上旗(２３)はねじれ、上旗の上管（２４）が引っ張られて丁番軸芯が振れ、ひどい時は丁番軸が曲がる。
扉は扉の自重によって常に同様の力が掛かっており、風圧等で激しく扉が閉じ、衝撃を受けたときも無理な力が掛かる。
図６は正常な位置に軸芯が（２７）がある状態を示す。無理な力が掛かると軸芯が振れる方向（２９）に軸芯の振れ（２８）が発生する。軸芯が振れた丁番は丁番起こしを使って元に戻すことができるが、それを繰り返しているうちに丁番自体は弱くなる。
【００１０】
図７が扉を閉じた状態を門扉側正面から見た上丁番部分で、正常な丁番の状態を示す。
図８Aは扉を閉じた状態を、戸先側から吊り元を見た図で丁番の正常な状態を示す。
図８Bは扉を閉じた状態を、閉扉側正面から見た吊り元側の図で丁番の正常な状態を示す。
【００１１】
図９Aは扉を９０度開け、戸先にぶら下がって丁番が変形し、丁番の軸芯が振れた状態の扉を閉じて、戸先方向から吊り元を見たものである。
丁番の軸芯の振れ（２８）は上丁番（３１）の方が下丁番（３２）より大きくなる。
図９Bは、図９Aの扉を開扉側正面から見た図である。
丁番の旗のねじれや丁番軸の曲がりは図９Aと図９Bのように発生する。
【００１２】
丁番が正常に機能し、丁番の抵抗無くとびらの開閉ができるためには、図８A、Bに示すように、どの角度からでもすべての丁番の軸芯が一直線上に無ければならない。丁番の２枚吊りでも３枚吊りでも同様である。
各々の丁番の軸芯に振れが有れば、扉を開閉時の抵抗となり、扉の開閉が重くなる。
扉を吊った丁番は十分な強度のある丁番でも、長年の使用の間にこのように軸芯振れが発生する。
【課題を解決するための手段】
【００１３】
旗丁番に比べて儀星丁番や５管丁番では、図９A、Bのような軸芯の振れが少ない。儀星丁番や５管丁番では丁番の長さ全体で平等に軸芯に力が掛かる事で丁番軸の曲がりが発生しにくく、丁番軸の振れも発生しにくいからである。
逆に、旗丁番では、旗が２枚で管が２個であるため、扉に掛かった力が丁番軸が振れたり曲げたりする方向に作用する。
【００１４】
そのような旗丁番の問題を解決するため、旗丁番を３旗３管としたものである。
図１、２、３、４が本発明に係る３旗３管を持つ旗丁番である。
この旗丁番において、以下のような実験を試みた。
下旗（５）と補強旗（１）を枠にネジ止めし、上旗（３）を扉にネジ止めする。
扉を９０度開き、戸先にぶら下がってみる。
その状態での各々の旗や管や軸にかかる力と変形の様子を見る。
【００１５】
その結果、以下のような結論が得られた。
従来の２枚旗と２管の旗丁番と比べて、補強管（２）を持つ補強旗（１）を設けた事で軸芯の振れは発生しにくく、上旗のねじれも小さくなる。
軸芯の曲りや振れが発生しない事でとびらの開閉に抵抗とならず、重くならない。
軸芯の振れが発生しない事で扉全体を見た場合の変形量が小さい。
【００１６】
３管旗丁番の軸は図３のように３管に対して１本の軸（８）が理想だが、図４のように下軸（１２）と上軸（１３）の２本の軸に分ける事もできる。発明の３管旗丁番は従来の旗丁番の上にもう１枚の補強旗（１）を設け、補強旗の補強管（２）を加えて３管とした事で旗丁番の振れを防止し、軸の曲がりを防止するものである。合わせて各々の旗のねじれや変形を小さくするものである。
【発明の効果】
【００１７】
旗丁番の軸振れ、軸の曲がり、旗のねじれが発生し易いのは扉の上方に取り付けた丁番に関してである。
丁番３個で吊った扉では一番上部を吊っている丁番が一番発生し易く、次に中央を吊った丁番で、一番下部を吊っている丁番はあまり発生しない。
丁番２個で吊った扉では扉上部を吊っている丁番で発生し易く、下部を吊っている丁番ではあまり発生しない。
【００１８】
そのため、本発明の３管旗丁番を扉の一番上部を吊る丁番にのみ使用しただけで充分に効果を発揮する。
一番変形量の大きい部分の変形を止めることで、扉の中央部を吊った丁番や下部を吊った丁番の変形も押さえることができる。
発明の３旗丁番で扉を吊ることで丁番の軸芯の振れや曲がりを防止でき、扉の開閉が重くならず、軽く開閉できる状態を長く維持できる扉とすることができる。
【発明を実施するための最良の形態】
【００１９】
発明の３管旗丁番の構造を図３に基いて説明する。
上旗（３）の上管（４）の軸芯に丁番軸（８）を固定して組み付ける。丁番軸は上下に突き出し、下旗（５）の下管（６）に軸受け穴を設け、上管から下に突き出した丁番軸を下管の軸受け穴に差し込む。
３管旗丁番ではさらに補強旗（１）の補強管（２）に軸受け穴を設け、上管から上方に突き出した丁番軸を補強管の軸受け穴に差し込む。
【００２０】
発明の３管旗丁番の取り付け手順を説明する。
吊り元側枠に下旗と補強旗の取り付けネジを受けるネジ穴の位置出しをしてネジ穴を開ける。
扉の吊り元側に上旗の取り付けネジを受けるネジ穴の位置出しをしてネジ穴を開ける。
３管旗丁番の３管を分離し、下旗を吊り元側枠にネジ止めする。
上旗を扉の吊り元側にネジ止めする。
丁番２枚吊りであれば２枚、３枚吊りであれば３枚の、補強旗を除く全部の取り付けが終ったら、扉を９０度開けた状態で丁番の軸を下管の軸受け穴に差し込む。
以上で従来の旗丁番を吊り込んだ状態となる。
【００２１】
３管旗丁番では扉を吊ったその状態で扉を９０度開けて、補強旗の補強管を上旗の上管から上に突き出た丁番の軸に被せる。そして補強旗を吊り元側枠のネジ穴にネジ止めする。補強旗の枠への脱着は扉を吊ったまま行うので作業性は良い。
【００２２】
３管旗丁番の軸芯が振れず、曲がらない理由を説明する。
扉に力が掛かると扉にネジ止めした上旗が引っ張られ、従来の２管の旗丁番であれば上旗の上管が引っ張られ、上管は枠にネジ止めした下旗の下管を引っ張る。
両旗を引き分けられた丁番は軸が振れ、丁番軸が曲がる。
３管旗丁番では上旗が引っ張られても上管は補強旗の補強管と下旗の下管に挟まれ、補強管と下管で平等に上管を受け止める為に丁番の軸芯は振れにくく、丁番の軸は曲がりにくい。丁番を曲げるような力の作用は掛からず、大きい力に対しても丁番軸芯の振れや曲がりは発生しにくい。
【図面の簡単な説明】
【００２３】
【図１】発明の３管旗丁番の斜視図である。
【図２】旗を広げた正面図である。
【図３】発明の３管丁番の軸構造を示す。
【図４】軸構造の変形例を示す。
【図５】従来の旗丁番の構造を示す。
【図６】従来の旗丁番で吊った扉の上部で、扉を９０度開いた状態を戸先側枠方向から丁番を見た図である。
【図７】図６の扉を閉じた状態を、門扉側正面から見た図である。
【図８】Ａ．扉を閉じ、戸先から吊り元を見た図で、丁番の正常状態を示す。  Ｂ．A図の状態を、扉の門扉側正面から見た図である。
【図９】Ａ．図８Aの、丁番が変形して丁番の軸芯が振れたことを示す。  Ｂ．図８Bの、丁番が変形して丁番の軸芯が振れたことを示す。
【符号の説明】
【００２４】
１        補強旗
２        補強管
３        上旗
４        上管
５        下旗
６        下管
７        取り付けネジ穴
８        丁番軸
９        蓋
１０      蓋
１１      ワッシャ
１２      下軸
１３      上軸
２１      吊り元側縦枠
２２      扉
２３      上旗
２４      上管
２５      下旗
２６      下管
２７      正常な軸芯位置
２８      振れた軸芯
２９      軸芯の振れる方向
３０      上枠
３１      上丁番
３２      下丁番
３３      下丁番の振れた軸芯
３４      正常な軸芯位置
３５      振れた軸芯
３６      軸芯の振れる方向
３７      下丁番の振れた軸芯
３８      丁番軸
３９      蓋
４０      取り付けネジ穴
【図１】
2006233590.tif 000003
【図２】
2006233590.tif 000004
【図３】
2006233590.tif 000005
【図４】
2006233590.tif 000006
【図５】
2006233590.tif 000007
【図６】
2006233590.tif 000008
【図７】
2006233590.tif 000009
【図８】
2006233590.tif 000010
【図９】
2006233590.tif 000011